(57)【要約】【解決手段】  ヘッド本体および音箱により構成される。ヘッド本体はソール板、クラウン板とフェース板により組成されると共に、共同で囲むように内部空間が形成される。音箱は内部空間に結合されると共に、少なくとも一個の共振片が形成される。共振片は共同で囲むように音室が形成され、共振片と音室によって立体共振の効果が提供されることにより、ヘッド本体の共振と振動の模式を変え、さらに比較的よい打球音を生じるように構成されている。【効果】  ヘッド本体のソール板の内面において音箱を設置し、上記音箱には立体共振の枠体が形成されるため、立体共振の音質表現の発生と比較的強い構造の提供に役立つと同時に、需要性に応じて音質調整ユニットを設置することができるため、ヘッドの付加価値を高め、構造の信頼性を増やし、さらにヘッドの使用寿命を延ばすことができる。【選択図】  図１
2006061276.tif 000002
【特許請求の範囲】
【請求項１】
ヘッド本体（１）、音箱（２）および音室（２０）により構成される音箱構造を有するゴルフクラブヘッドであって、ヘッド本体（１）はソール板（１１）、クラウン板（１２）とフェース板（１３）により組成されると共に、共同で囲むように内部空間（１０）が形成され、音箱（２）は内部空間（１０）に結合されると共に、音箱（２）には少なくとも一個の共振片（２１）が形成され、共振片（２１）は共同で囲むように音室（２０）が形成され、共振片（２１）と音室（２０）によって立体共振の効果が提供されることにより、ヘッド本体（１）の共振と振動の模式を変え、さらに比較的よい打球音を生じることを特徴とする音箱構造を有するゴルフクラブヘッド。
【請求項２】
音室（２０）は例えば密閉状、開放状の立体共振の枠体からなることを特徴とする請求項１記載の音箱構造を有するゴルフクラブヘッド。
【請求項３】
音室（２０）の少なくとも一個の共振片（２１）には他に少なくとも一個のスルーホール（２２）が形成されることを特徴とする請求項１記載の音箱構造を有するゴルフクラブヘッド。
【請求項４】
他に音質調整ユニット（３）が含まれ、音質調整ユニット（３）には外ねじ（３１）と調整部（３２）が設けられ、さらにソール板（１１）には音箱（２）の音室（２０）に対応するように開口部（１６）が形成され、開口部（１６）の内周面には内ねじ（１７）が形成され、音質調整ユニット（３）の外ねじ（３１）は開口部（１６）の内ねじ（１７）に螺設して結合することにより、音箱（２）の音室（２０）の大きさを調整することができることを特徴とする請求項１記載の音箱構造を有するゴルフクラブヘッド。
【請求項５】
音箱（２）は矩形、梯形、半円形、円錐形、方形、正多角形の立体共振の枠体からなることを特徴とする請求項１記載の音箱構造を有するゴルフクラブヘッド。
【請求項６】
共振片（２１）は例えばソール板（１１）の後部、トウ部、ヒール部の内面に結合されることを特徴とする請求項１記載の音箱構造を有するゴルフクラブヘッド。
【請求項７】
ヘッド本体（１）には他に複数個のサイド板（１４）が含まれ、共振片（２１、２１´、２１″）は例えばサイド板（１４）のトウ部、ヒール部の内面に結合されることを特徴とする請求項１記載の音箱構造を有するゴルフクラブヘッド。
【請求項８】
音箱（２）の音室（２０）の内部には他に副音箱（２３）が形成され、副音箱（２３）そのものは囲むように副音室（２４）が形成されることを特徴とする請求項１記載の音箱構造を有するゴルフクラブヘッド。
【請求項９】
副音箱（２３）の形状は実質上として音箱（２）の形状に対応するように形成されることを特徴とする請求項８記載の音箱構造を有するゴルフクラブヘッド。
【請求項１０】
副音箱（２３）の形状は実質上として音箱（２）の形状とは異なるように形成されることを特徴とする請求項８記載の音箱構造を有するゴルフクラブヘッド。
【請求項１１】
副音箱（２３）は桿状に形成されると共に、副音箱（２３）の一端には頭部（２３ａ）が形成されることを特徴とする請求項１０記載の音箱構造を有するゴルフクラブヘッド。
【請求項１２】
音箱（２）の内部には他に少なくとも一個の隔板（２５）の区画によって少なくとも二個の半音室（２０ａ、２０ｂ）が形成されることを特徴とする請求項１記載の音箱構造を有するゴルフクラブヘッド。
【請求項１３】
音箱（２）には他にその一端において波状構造（２１ａ）が形成されることを特徴とする請求項１記載の音箱構造を有するゴルフクラブヘッド。
【請求項１４】
波状構造（２１ａ）の肉厚は音箱（２）のその他の部位の共振片（２１）の肉厚より大きくなるように形成されることを特徴とする請求項１３記載の音箱構造を有するゴルフクラブヘッド。
【発明の詳細な説明】
【技術分野】
【０００１】
本発明は、音箱構造を有するゴルフクラブヘッドに関するもので、特にヘッド本体の内部空間において音箱を設置することにより、立体共振の効果と比較的よい打球音を生じる構造に係るものである。
【背景技術】
【０００２】
従来の音箱構造を有するゴルフクラブヘッドとしては、ヘッド本体にはフェース板、ソール板、クラウン板、ホーゼルおよびサイド板が含まれる。上記ヘッド本体には他にトウ部、ヒール部が形成される。上記ヒール部は上記ホーゼルに隣接し、そして上記トウ部は上記ヒール部に対応するように形成される。上記ヘッド本体の内部の容積は少なくとも１００ccで、その内部には他に強化材が含まれる。上記強化材は一個の共振の平面を提供して上記サイド板を経由して上記ソール板とクラウン板に連接されることにより、局部的な強化ゾーンが形成される。上記フェース板の打球の期間において、上記強化材の共振の平面と局部的な強化ゾーンによってヘッド本体の振動の模式と音質を変えることができるため、比較的よい打球音を生じることができるようにとしたものがある（例えば、特許文献１を参照）。
【特許文献１】米国公開番号第２００４／００８７３８８号
【発明の開示】
【発明が解決しようとする課題】
【０００３】
上記のような従来の音箱構造を有するゴルフクラブヘッドにおいては、上記強化材は共振の平面しか提供することができないことにより、立体共振の効果を提供することができないため、打球音の改善の具合が制限されてしまう。さらに、上記フェース板が打球の応力の作用を受けて弾性による変形量が生じた時、通常として上記サイド板、ソール板とクラウン板には連帯的に弾性による変形が生じてしまう。この時、上記強化材が構造上において同時に上記ソール板、クラウン板とサイド板を溶接し連接するもので、しかも互いの材質が異なるため、上記サイド板、ソール板とクラウン板に生じた異なる弾性の変形量によって上記強化材のそれぞれの溶接の結合部に受ける力が不均一になるため、ひび割れが生じてしまうという問題点があった。その結果、上記強化材はヘッド本体の内部において不堅固に結合されているため、反って打球時においてふらつきによる雑音が生じてしまうという問題点があった。このように、上記のような従来の音箱構造を有するゴルフクラブヘッドをさらに改良しなければならない。
【０００４】
本発明はこのような問題点に鑑みて発明したものであって、その目的とするところは、ヘッド本体のソール板の内面において音箱を設置し、上記音箱には立体共振の枠体が形成されるため、立体共振の音質表現の発生と比較的強い構造の提供に役立つことができると同時に、需要性に応じて音質調整ユニットを設置することもできるため、ヘッドの付加価値を確実に高め、構造の信頼性を増やし、さらにヘッドの使用寿命を延ばすことができる音箱構造を有するゴルフクラブヘッドを提供しようとするものである。
【０００５】
本発明の第一の目的は、ヘッド本体のソール板の内面において音箱を設置することにより、立体共振の枠体を提供することができるため、ヘッドの付加価値を高めることができる音箱構造を有するゴルフクラブヘッドを提供しようとするものである。
【０００６】
本発明の第二の目的は、ヘッド本体のソール板の内面において音箱を設置することにより、音箱には比較的強い構造が形成されるため、ヘッドの使用寿命を延ばすことができる音箱構造を有するゴルフクラブヘッドを提供しようとするものである。
【０００７】
本発明の第三の目的は、ヘッド本体のソール板の内面において音箱を設置し、音箱に音質調整ユニットを増設することができるため、ヘッドの付加価値を高めることができる音箱構造を有するゴルフクラブヘッドを提供しようとするものである。
【課題を解決するための手段】
【０００８】
上記目的を達成するために、本発明による音箱構造を有するゴルフクラブヘッドは、ヘッド本体、音箱および音室により構成される。ヘッド本体はソール板、クラウン板とフェース板により組成されると共に、共同で囲むように内部空間が形成される。音箱は内部空間に結合されると共に、音箱には少なくとも一個の共振片が形成され、共振片は共同で囲むように音室が形成される。共振片と音室によって立体共振の効果が提供されることにより、ヘッド本体の共振と振動の模式を変え、さらに比較的よい打球音を生じる。
【０００９】
本発明による音箱構造を有するゴルフクラブヘッドは、音室は例えば密閉状、開放状の立体共振の枠体からなることもできる。また、音室の少なくとも一個の共振片には他に少なくとも一個のスルーホールが形成されることもできる。また、他に音質調整ユニットが含まれ、音質調整ユニットには外ねじと調整部が設けられ、さらにソール板には音箱の音室に対応するように開口部が形成され、開口部の内周面には内ねじが形成され、音質調整ユニットの外ねじは開口部の内ねじに螺設して結合することにより、音箱の音室の大きさを調整することもできる。また、音箱は矩形、梯形、半円形、円錐形、方形、正多角形の立体共振の枠体からなることもできる。また、共振片は例えばソール板の後部、トウ部、ヒール部の内面に結合されることもできる。また、ヘッド本体には他に複数個のサイド板が含まれ、共振片は例えばサイド板のトウ部、ヒール部の内面に結合されることもできる。また、音箱の音室の内部には他に副音箱が形成され、副音箱そのものは囲むように副音室が形成されることもできる。また、副音箱の形状は実質上として音箱の形状に対応するように形成されることもできる。また、副音箱の形状は実質上として音箱の形状とは異なるように形成されることもできる。また、副音箱は桿状に形成されると共に、副音箱の一端には頭部が形成されることもできる。また、音箱の内部には他に少なくとも一個の隔板の区画によって少なくとも二個の半音室が形成されることもできる。また、音箱には他にその一端において波状構造が形成されることもできる。また、波状構造の肉厚は音箱のその他の部位の共振片の肉厚より大きくなるように形成されることもできる。
【発明の効果】
【００１０】
本発明の音箱構造を有するゴルフクラブヘッドによれば、ヘッド本体のソール板の内面において音箱を設置することにより、立体共振の枠体を提供することができるため、ヘッドの付加価値を高めることができるという利点がある。
【００１１】
本発明の音箱構造を有するゴルフクラブヘッドによれば、ヘッド本体のソール板の内面において音箱を設置することにより、音箱には比較的強い構造が形成されるため、ヘッドの使用寿命を延ばすことができるという利点がある。
【００１２】
本発明の音箱構造を有するゴルフクラブヘッドによれば、ヘッド本体のソール板の内面において音箱を設置し、音箱に音質調整ユニットを増設することができるため、ヘッドの付加価値を高めることができるという利点がある。
【発明を実施するための最良の形態】
【００１３】
本発明の実施の形態について、以下、図面を参照して説明する。
【実施例１】
【００１４】
図１、２、３を参照すると、本発明の実施例１の音箱構造を有するゴルフクラブヘッドにはヘッド本体１と音箱２が含まれる。ヘッド本体１はウッド型ヘッドまたはウッド型アイアンヘッド（utility golf club）からなり、ヘッド本体１はソール板１１、クラウン板１２、フェース板１３、複数個のサイド板１４とホーゼル１５により組成される。ソール板１１、クラウン板１２、フェース板１３、サイド板１４とホーゼル１５は例えば互いに溶接するのを利用し、または一体鋳造の方式を利用して結合することができると共に、共同で囲むように内部空間１０が形成される。フェース板１３はゴルフボールを打球するのに用いられる。ホーゼル１５はゴルフクラブのシャフトと結合するのに用いられる。音箱２は複数個の共振片２１を例えば互いに溶接するのを利用し、または一体鋳造の方式を利用して予め組み立てることができ、共振片２１の材質は例えばソール板１１の材質と同じまたは異なる材質を使用することができる。
【００１５】
組立時において、共振片２１をヘッド本体１１のソール板１１の内面に適当に溶接して結合することができ、好ましくは共振片２１をソール板１１の後部（rear）の内面に溶接して結合すると同時に、少なくともクラウン板１２、フェース板１３とホーゼル１５とは適当な距離を保つように形成される。組立後において、音箱２は内部空間１０から突出するように形成され、さらに略矩形かつ立体共振の枠体に形成される。音箱２の共振片２１はソール板１１とは共同で囲むように音室２０が形成され、音室２０は密閉状になるように形成される。
【００１６】
図１を参照すると、ヘッド本体１のフェース板１３が打球を行う期間、フェース板１３には打球の応力に応じて適当な弾性の変形量が生じ、さらに打球後においてはソール板１１、クラウン１２、フェース板１３、サイド板１４には打球による余震が生じ、そして打球の余震の振動の模式からヘッド本体１の打球音の音質が決められる。この時、ソール板１１の打球の余震は音箱２の共振片２１まで伝導することができるため、共振片２１と音室２０により立体共振の効果を提供することができる。共振片２１には各方向への振動波が生じるため、上記振動波はヘッド本体１の内部空間１０においてクラウン板１２、フェース板１３とサイド板１４まで適当に反射される。その結果、音箱２の立体共振の効果によりヘッド本体１の全体の共振と振動の模式を確実かつ有効に変えることができ、さらに比較的よい打球音を生じることができる。また、音箱２は単純にソール板１１の後部の内面に結合され、さらに構造上においてフェース板１３から遠く離れているため、比較的強い構造を有するように形成されると共に、溶接の結合部においてひび割れが生じるのを避けることができるため、相対的にヘッドの使用寿命を延ばすことができる。
【実施例２】
【００１７】
図４を参照すると、本発明の実施例２の音箱構造を有するゴルフクラブヘッドが掲示される。実施例１と比較して、実施例２の音箱２の少なくとも一個の共振片２１にはさらに少なくとも一個のスルーホール２２が形成される。スルーホール２２は音箱２の音室２０とヘッド本体１の内部空間１０と連通するように形成され、スルーホール２２により共振片２１の共振と振動の模式を変えることができるため、ヘッド本体１の全体の打球音を調整することができる。
【実施例３】
【００１８】
図５を参照すると、本発明の実施例３の音箱構造を有するゴルフクラブヘッドが掲示される。実施例１と比較して、実施例３の音箱２は例えば円柱形からなり、さらにソール板１１には音箱２の音室２０に対応するように開口部１６が形成され、音室２０の内周面には内ねじ１７が形成される。本発明においては、他に音質調整ユニット３が含まれ、音質調整ユニット３には外ねじ３１と調整部３２が形成される。音質調整ユニット３の外ねじ３１は開口部１６の内ねじ１７に螺設して結合することができる。音質調整ユニット３の結合具合を調整することにより、音箱２の音室２０を適当に増加したり縮小したりすることができるため、使用者の需要性に応じて共振片２１の共振と振動の模式を迅速に変えることにより、ヘッド本体１の全体の打球音を調整することができる。
【実施例４】
【００１９】
図６を参照すると、本発明の実施例４の音箱構造を有するゴルフクラブヘッドが掲示される。実施例１と比較して、実施例４の音箱２は例えば梯形の立体共振の枠体からなる。また、音箱２の底部の巾は例えば上部の巾より大きくまたは小さくなるように選択することにより、異なる立体共振の効果を形成することができるため、共振片２１の共振と振動の模式を変えることにより、ヘッド本体１の全体の打球音を調整することができる。同様に、音箱２は例えば半円形、円錐形、方形、正多角形、各種の幾何造形または共振の需要性に応じた設計の形状を選択することができる。さらに、音箱２の共振片２１も例えば厚さの変化を選択することにより、異なる共振と振動の模式を提供することができる。
【実施例５】
【００２０】
図７を参照すると、本発明の実施例５の音箱構造を有するゴルフクラブヘッドが掲示される。実施例４と同様に、実施例１と比較して、実施例５の音箱２は例えば梯形の立体共振の枠体からなる。また、音箱２の底部の巾は例えば上部の巾より大きくまたは小さくなるように選択することにより、異なる立体共振の効果を形成することができるため、共振片２１の共振と振動の模式を変えることにより、ヘッド本体１の全体の打球音を調整することができる。同様に、音箱２は例えば半円形、円錐形、方形、正多角形、各種の幾何造形または共振の需要性に応じた設計の形状を選択することができる。さらに、音箱２の共振片２１も例えば厚さの変化を選択することにより、異なる共振と振動の模式を提供することができる。
【実施例６】
【００２１】
図８を参照すると、本発明の実施例６の音箱構造を有するゴルフクラブヘッドが掲示される。実施例１と比較して、実施例６の音箱２の共振片２１は共同で囲むように開放状の音室２０が形成される。音室２０はヘッド本体１の内部空間１０とは連通するように形成され、音室２０により共振片２１の共振と振動の模式を変えることができるため、ヘッド本体１の全体の打球音を調整することができる。本発明においては、他に例えばヘッド本体１のソール板１１および／またはサイド板１４のトウ部および／またはヒール部において音箱２´、２″を設置することができる。音箱２´、２″も同様にそれぞれ複数個の共振片２１´、２１″により共同で囲むように開放状の音室２０´、２０″が形成される。これにより、音箱２´、２″も異なる方位から共振の音波を生じることができるため、ヘッド本体１の全体の打球音を調整することができる。また、音箱２、２´、２″は開口部において傾斜したリップ縁を形成することにより、異なる角度の共振の音波を生じることができる。
【実施例７】
【００２２】
図９を参照すると、本発明の実施例７の音箱構造を有するゴルフクラブヘッドが掲示される。実施例１と比較して、実施例７の音箱２は音室２０の内部においてさらに副音箱２３が形成される。副音箱２３は少なくとも一個の共振片２１により組成される。副音箱２３もヘッド本体１のソール板１１またはサイド板１４において連接されるが、音箱２の共振片２１とは適当な距離を保つように形成される。副音箱２３そのものは囲むように副音室２４が形成される。副音箱２３の形状は実質上として音箱２の形状に対応するように形成される。これにより、副音箱２３と副音室２４によって立体共振の効果を提供することができるため、音箱２の内部の共振と振動の模式を変えることができ、さらにヘッド本体１の全体に異なる打球音を生じさせることができる。
【実施例８】
【００２３】
図１０を参照すると、本発明の実施例８の音箱構造を有するゴルフクラブヘッドが掲示される。実施例７と比較して、実施例８の副音箱２３の形状は実質上として音箱２の形状とは異なるように形成され、例えば副音箱２３は桿状に形成されると共に、副音箱２３の一端には頭部２３ａが形成される。これにより、副音箱２３、頭部２３ａと副音室２４によって異なる反射角度の反射振動波が生じることにより、異なる方式で音箱２の内部の共振と振動の模式を変えることができ、さらにヘッド本体１の全体に異なる打球音を生じさせることができる。
【実施例９】
【００２４】
図１１を参照すると、本発明の実施例９の音箱構造を有するゴルフクラブヘッドが掲示される。実施例１と比較して、実施例９の副音箱２３の内部にはさらに少なくとも一個の隔板２５の区画によって少なくとも二個の半音室２０ａ、２０ｂが形成される。これにより、隔板２５と半音室２０ａ、２０ｂによって音箱２の内部の共振と振動の模式を変えることができ、さらにヘッド本体１の全体に異なる打球音を生じさせることができる。
【実施例１０】
【００２５】
図１２を参照すると、本発明の実施例１０の音箱構造を有するゴルフクラブヘッドが掲示される。実施例１と比較して、実施例１０の音箱２にはその一端において波状構造２１ａが形成されると同時に、波状構造２１ａの肉厚は好ましくは音箱２のその他の部位の共振片２１の肉厚より大きくなるように形成される。波状構造２１ａにより異なる反射角度の反射振動波が生じることにより、異なる共振と振動の模式を変えることができるため、異なる打球音を生じることができる。
【産業上の利用可能性】
【００２６】
上述の如く、従来の音箱構造を有するゴルフクラブヘッドによれば、強化材により単一の共振の平面しか提供することができず、さらに結合された構造にはひび割れが生じ易いという問題点があったが、図１に示す本発明の音箱構造を有するゴルフクラブヘッドによれば、ヘッド本体１のソール板１１の内面において音箱２を形成し、さらに音箱２の共振片２１により立体共振の効果を提供することができるため、ヘッドの付加価値を高め、構造の信頼性を増やし、さらにヘッドの使用寿命を延ばすことができる。
【００２７】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２８】
【図１】本発明の実施例１の音箱構造を有するゴルフクラブヘッドによる断面図である。
【図２】本発明の実施例１の音箱構造を有するゴルフクラブヘッドによる平面図である。
【図３】本発明の実施例１の音箱構造を有するゴルフクラブヘッドによる図２におけるＡ−Ａ線に沿った断面図である。
【図４】本発明の実施例２の音箱構造を有するゴルフクラブヘッドによる断面図である。
【図５】本発明の実施例３の音箱構造を有するゴルフクラブヘッドによる断面図である。
【図６】本発明の実施例４の音箱構造を有するゴルフクラブヘッドによる断面図である。
【図７】本発明の実施例５の音箱構造を有するゴルフクラブヘッドによる断面図である。
【図８】本発明の実施例６の音箱構造を有するゴルフクラブヘッドによる断面図である。
【図９】本発明の実施例７の音箱構造を有するゴルフクラブヘッドによる断面図である。
【図１０】本発明の実施例８の音箱構造を有するゴルフクラブヘッドによる断面図である。
【図１１】本発明の実施例９の音箱構造を有するゴルフクラブヘッドによる断面図である。
【図１２】本発明の実施例１０の音箱構造を有するゴルフクラブヘッドによる断面図である。
【符号の説明】
【００２９】
１    ヘッド本体                      １０    内部空間
１１    ソール板                        １２    クラウン板
１３    フェース板                      １４    サイド板
１５    ホーゼル                        １６    開口部
１７    内ねじ                            ２    音箱
２０    音室                            ２０ａ  半音室
２０ｂ  半音室                          ２１    共振片
２１ａ  波状構造                        ２２    スルーホール
２３    副音箱                          ２３ａ  頭部
２４    副音室                          ２５    隔板
２´  音箱                            ２０´  音室
２１´  共振片                            ２″  音箱
２０″  音室                            ２１″  共振片
３    音質調整ユニット                ３１    外ねじ
３２    調整部
【図１】
2006061276.tif 000003
【図２】
2006061276.tif 000004
【図３】
2006061276.tif 000005
【図４】
2006061276.tif 000006
【図５】
2006061276.tif 000007
【図６】
2006061276.tif 000008
【図７】
2006061276.tif 000009
【図８】
2006061276.tif 000010
【図９】
2006061276.tif 000011
【図１０】
2006061276.tif 000012
【図１１】
2006061276.tif 000013
【図１２】
2006061276.tif 000014